(57)【要約】【課題】通気性が良いカウンターを提供する。【解決手段】カウンター１は、樹脂製のカウンター本体２を備えている。カウンター本体２は、複数の通気用溝３０を有している。複数の通気用溝３０は、カウンター本体２の上面に形成されている。【選択図】図２
2020039567.tif 000002
【特許請求の範囲】
【請求項１】
樹脂製のカウンター本体を備え、
前記カウンター本体は、
前記カウンター本体の上面に形成された複数の通気用溝を有する、
カウンター。
【請求項２】
前記複数の通気用溝の各々は、幅が１．０ｍｍ以上３．０ｍｍ以下であり、かつ、深さが０．３ｍｍ以上１．０ｍｍ以下の溝である、
請求項１に記載のカウンター。
【請求項３】
前記複数の通気用溝の各々は、断面形状が角の無い連続した曲線状の溝である、
請求項１又は請求項２に記載のカウンター。
【請求項４】
前記複数の通気用溝として、
上方から見て互いに平行な複数の第１溝と、
上方から見て互いに平行で、かつ、上方から見て前記複数の第１溝と交差した複数の第２溝とを備えた、
請求項１〜３のいずれか１項に記載のカウンター。
【発明の詳細な説明】
【技術分野】
【０００１】
本開示は、カウンターに関する。
【背景技術】
【０００２】
特許文献１には、台所用キャビネットの天板が開示されている。この天板は、アクリル系または不飽和ポリエステル系の合成樹脂を素材とした人工大理石製の天板である。この天板の表面には、擦り傷を目立たなくすることを目的として、多数の円形凹陥部が分布して設けられている。
【先行技術文献】
【特許文献】
【０００３】
【特許文献１】実開平４−７１５４５号公報
【発明の概要】
【発明が解決しようとする課題】
【０００４】
ところで、上記のような天板の上にコップ等の物品が置かれた状態では、天板と物品との間に存在する水が乾き難く、通気性が良くない。
【０００５】
本開示は上記事由に鑑みてなされており、通気性が良いカウンターを提供することを目的とする。
【課題を解決するための手段】
【０００６】
本開示の一態様に係るカウンターは、樹脂製のカウンター本体を備えている。前記カウンター本体は、前記カウンター本体の上面に形成された複数の通気用溝を有している。
【発明の効果】
【０００７】
本開示の一態様に係るカウンターは、通気性を良くすることができる。
【図面の簡単な説明】
【０００８】
【図１】図１は、本開示の一態様のカウンターの正面図である。
【図２】図２は、同上のカウンターの平面図である。
【図３】図３は、同上のカウンターの一部を断面で示した側面図である。
【図４】図４は、同上のカウンターの拡大断面図である。
【発明を実施するための形態】
【０００９】
（１）概要
図１に示す本実施形態のカウンター１は、水回りの設備として用いられる。具体的にカウンター１は、洗面台９の天板として用いられる洗面カウンターである。なお、本開示の技術は、手洗いカウンター、キッチンカウンター、浴室カウンター等、洗面カウンター以外の水回りの設備として用いられるカウンターにも適用可能である。
【００１０】
本実施形態のカウンター１は、カウンター本体２を備えている。カウンター本体２は、樹脂製である。図２に示すように、カウンター本体２は、複数の通気用溝３０を有している。複数の通気用溝３０は、カウンター本体２の上面に形成されている。ここで、本開示における「通気用溝」は、カウンター本体２の上面に物品が置かれた場合に、カウンター本体２と物品との間を空気が通過することができる溝である。
【００１１】
本実施形態では、カウンター本体２の上面に、物品が置かれた時、カウンター本体２と物品との間に、通気用溝３０を含む隙間が形成される。このため、カウンター本体２と物品との間を空気が通過しやすくなる。すなわち、カウンター本体２と物品との間の通気性が良くなる。
【００１２】
（２）詳細
以下、本実施形態のカウンター１について詳述する。なお、以下では、カウンター１を含む洗面台９を設置した状態における方向を用いて説明する。具体的には、図１及び図２に示す方向を用いて説明する。
【００１３】
図１に示すように、本実施形態のカウンター１を含む洗面台９は、キャビネット９０と、水栓９１とを含む。カウンター１は、キャビネット９０上に設置される。水栓９１は、カウンター１に取り付けられる。
【００１４】
本実施形態のカウンター１は、合成樹脂製であり、例えば、注型成形によって形成される。カウンター１の樹脂材料としては、例えば、不飽和ポリエステル樹脂、ビニルエステル樹脂、アクリル樹脂、エポキシ樹脂等が挙げられる。
【００１５】
図１〜図３に示すように、本実施形態のカウンター１は、カウンター本体２と、ボウル６とを備えている。カウンター本体２は、板状に形成されている。本実施形態のカウンター本体２は、平板部３、前垂れ４及びバックガード５を有している。平板部３、前垂れ４及びバックガード５は、一体に形成されている。
【００１６】
平板部３は、水平面に沿った板状で、かつ、外縁が左右方向に延びた長方形状に形成されている。カウンター本体２の上面は、平板部３の上面によって構成されている。
【００１７】
前垂れ４は、前後方向に対して垂直な板状に形成されており、平板部３の前縁部から下方に突出している。前垂れ４は、平板部３の前縁部における左右方向の全長にわたって形成されている。バックガード５は、前後方向に対して垂直な板状に形成されており、平板部３の後縁部から上方に突出している。バックガード５は、平板部３の後縁部における左右方向の全長にわたって形成されている。
【００１８】
ボウル６は、カウンター本体２と一体に形成されている。ボウル６は、平板部３における左右方向の中間部に形成されている。ボウル６は、ボウル本体部６０と、フランジ部６１とを有している。ボウル本体部６０は、上方に開口した容器状に形成されている。ボウル本体部６０の底部には、ボウル６内に供給された水を排出するための排水口６２が形成されている。ボウル本体部６０は、左右方向に延びた後壁部６３を有している。
【００１９】
図２に示すように、ボウル本体部６０の上縁において後壁部６３で構成された部分６４は、上方から見て左右方向に延びた直線状である。ボウル本体部６０の上縁において、部分６４を除く他の部分６５は、上方から見て弧状に形成されている。
【００２０】
フランジ部６１は、ボウル本体部６０の上縁部から外側に向かって突出している。フランジ部６１の外周縁は、上方から見て円形状であり、平板部３につながっている。フランジ部６１の上面は、水平な平面であり、平板部３の上面（詳しくは、後述する突部３３の上面）よりも高い。フランジ部６１において後壁部６３の上縁とフランジ部６１の後縁との間の部分である後端部には、水栓９１が取り付けられる。
【００２１】
平板部３の上面には、複数の通気用溝３０が形成されている。本実施形態のカウンター本体２は、複数の通気用溝３０として、複数の第１溝３１と、複数の第２溝３２とを備えている。複数の第１溝３１は、上方から見て、互いに平行である。複数の第２溝３２は、上方から見て互いに平行であり、かつ、上方から見て複数の第１溝３１と交差している。本実施形態の複数の第２溝３２は、上方から見て複数の第１溝３１と直交している。
【００２２】
複数の第１溝３１の各々は、前後方向に延びた直線状の溝である。各第１溝３１は、平板部３の上面における前後方向の全長にわたって形成されている。複数の第２溝３２の各々は、左右方向に延びた直線状の溝である。各第２溝３２は、平板部３の上面における左右方向の全長にわたって形成されている。
【００２３】
複数の第１溝３１は、等間隔で並んでいる。複数の第２溝３２は、等間隔で並んでいる。隣り合う第１溝３１の中心間の距離Ｉ（図４参照）と、隣り合う第２溝３２の中心間の距離は、同じである。隣り合う第１溝３１の中心間の距離Ｉ、及び隣り合う第２溝３２の中心間の距離の各々は、例えば、１０．０ｍｍ以上２０．０ｍｍ以下である。具体的に、隣り合う第１溝３１の中心間の距離Ｉ、及び隣り合う第２溝３２の中心間の距離の各々は、１５．０ｍｍである。
【００２４】
平板部３の上面には、複数の通気用溝３０で区画された複数の突部３３が、平板部３の上面の全体に形成されている。複数の突部３３の各々は、上方から見て長方形状（詳しくは正方形状）に形成されている。各突部３３の上面は、凹凸の無い平面である。平板部３の上面には、複数の突部３３と複数の通気用溝３０とで構成されたタイル調の模様が形成されている。
【００２５】
各通気用溝３０は、長手方向と直交する断面における形状及び大きさが同じである。図４に示すように、各通気用溝３０は、断面形状（通気用溝３０の長手方向と直交する断面における形状）が、角の無い連続した曲線状の溝である。このため、カウンター１の利用者は、各通気用溝３０を容易に掃除することができる。本実施形態の各通気用溝３０は、断面形状が弧状の溝である。なお、各通気用溝３０の内面は、突部３３の上面との境界に稜線が存在せず突部３３の上面と連続した面であってもよいし、突部３３の上面との境界に稜線が存在して突部３３の上面に連続しない面であってもよい。
【００２６】
各通気用溝３０の幅Ｂは、１．０ｍｍ以上３．０ｍｍ以下であることが好ましい。また、各通気用溝３０の深さＤは、０．３ｍｍ以上１．０ｍｍ以下であることが好ましい。この場合、通気用溝３０の内面を容易に掃除でき、かつ、複数の通気用溝３０で区画された突部３３の輪郭を鮮明にすることができる。本実施形態の各通気用溝３０は、幅Ｂが１．０ｍｍ以上３．０ｍｍ以下であり、かつ、深さＤが０．３ｍｍ以上１ｍｍ以下である。具体的に各通気用溝３０の幅Ｂは１．５ｍｍであり、深さＤは、０．４ｍｍである。
【００２７】
図１に示すように、カウンター本体２は、前垂れ４の前面に形成された複数の前垂れ溝４０と、バックガード５の前面に形成された複数のバックガード溝５０とを更に有している。カウンター本体２は、複数の前垂れ溝４０として、複数の前垂れ第１溝４１と、１条の前垂れ第２溝４２とを有している。
【００２８】
複数の前垂れ第１溝４１は、前方から見て互いに平行である。前垂れ第２溝４２は、前方から見て複数の前垂れ第１溝４１と交差（詳しくは、直交）している。複数の前垂れ第１溝４１の各々は、上下方向に延びた直線状の溝であり、前垂れ４の前面における上下方向の全長にわたって形成されている。複数の前垂れ第１溝４１は、複数の第１溝３１（図２参照）にそれぞれ対応する位置に形成されており、各前垂れ第１溝４１は、対応する第１溝３１に連続している。前垂れ第２溝４２は、左右方向に延びた直線状の溝である。前垂れ第２溝４２は、前垂れ４の前面における左右方向の全長にわたって形成されている。
【００２９】
複数の前垂れ第１溝４１は、等間隔で並んでいる。前垂れ４の前面には、複数の前垂れ溝４０で区画された複数の前垂れ突部４３が、前垂れ４の前面の全体に形成されている。複数の前垂れ突部４３の各々の形状及び大きさは、平板部３の上面に形成された突部３３と同じである。前垂れ４の前面には、複数の前垂れ突部４３と複数の前垂れ溝４０とで構成されたタイル調の模様が形成されている。各前垂れ溝４０の断面における形状及び大きさは、通気用溝３０と同じである。
【００３０】
カウンター本体２は、複数のバックガード溝５０として、複数のバックガード第１溝５１と、１条のバックガード第２溝５２とを有している。複数のバックガード第１溝５１は、前方から見て互いに平行である。バックガード第２溝５２は、前方から見て複数のバックガード第１溝５１と交差（詳しくは直交）している。複数のバックガード第１溝５１の各々は、上下方向に延びた直線状の溝であり、バックガード５の前面における上下方向の全長にわたって形成されている。複数のバックガード第１溝５１は、複数の第１溝３１（図２参照）にそれぞれ対応する位置に形成されており、各バックガード第１溝５１は、対応する第１溝３１に連続している。バックガード第２溝５２は、左右方向に延びた直線状の溝である。バックガード第２溝５２は、バックガード５の前面における左右方向の全長にわたって形成されている。
【００３１】
複数のバックガード第１溝５１は、等間隔で並んでいる。バックガード５の前面には、複数のバックガード溝５０で区画された複数のバックガード突部５３が、バックガード５の前面の全体に形成されている。複数のバックガード突部５３の各々の形状及び大きさは、平板部３の上面に形成された突部３３と同じである。バックガード５の前面には、複数のバックガード突部５３と複数のバックガード溝５０とで構成されたタイル調の模様が形成されている。各バックガード溝５０の断面における形状及び大きさは、通気用溝３０と同じである。
【００３２】
カウンター１の利用者は、図２に示す平板部３の上に、洗面用具等の物品を置くことができる。洗面用具としては、例えば、コップ、ボトル、歯ブラシ等が挙げられる。平板部３に物品が置かれた状態では、平板部３と物品との間に、通気用溝３０を含む隙間が形成され、平板部３と物品との間の通気性が良くなる。このため、平板部３の上面が乾きやすい。
【００３３】
仮に平板部３の上面が平面である場合、カウンター本体２上にコップが置かれたときに、平板部３の上面にリング状の水跡ができる可能性がある。しかし、本実施形態のようにカウンター本体２の上面に通気用溝３０が形成されていると、カウンター本体２上の水は、通気用溝３０を流れる。また、平板部３の上面につく水跡は通気用溝３０によって分断されやすい。このため、カウンター本体２の上面には、連続した水跡が付き難い。
【００３４】
（３）変形例
なお、上記実施形態のカウンター１は、適宜設計変更可能である。例えば、各通気用溝３０の幅Ｂ及び深さＤ、並びに複数の通気用溝３０の間隔は、上記実施形態に限定されない。
【００３５】
また、各通気用溝３０の断面形状は、弧状に限られず、例えば、Ｕ字状、凹凸のある曲線状等であってもよい。また、各通気用溝３０は、角の無い連続した曲線状の溝に限られず、例えば、角溝、断面形状がＶ字状の溝等であってもよい。また、各通気用溝３０の断面形状は、互いに異なってもよい。
【００３６】
また、上方から見て複数の第１溝３１と複数の第２溝３２とが交差する角度は、９０度以外の角度であってもよい。また、平板部３の上面に形成される各突部３３の上方から見た形状は、正方形に限られず、正方形を除く長方形、四隅が丸まった四角形、三角形、五角形以上の多角形等であってもよい。また、第１溝３１又は第２溝３２は、省略可能である。また、各通気用溝３０は、上方から見て曲線状に形成されてもよい。
【００３７】
また、複数の前垂れ溝４０及び複数のバックガード溝５０は省略可能である。また、前垂れ溝４０及びバックガード溝５０の各々は、省略可能である。また、ボウル６は、カウンター本体２とは別体であってもよい。この場合、ボウル６は、樹脂製であってもよいし、ほうろう製、陶器製等であってもよい。
【００３８】
（４）態様
以上説明した実施形態及び変形例から明らかなように、第１の態様のカウンター（１）は、以下に示す構成を有している。カウンター（１）は、樹脂製のカウンター本体（２）を備えている。カウンター本体（２）は、複数の通気用溝（３０）を有している。複数の通気用溝（３０）は、カウンター本体（２）の上面に形成されている。この態様によれば、カウンター本体（２）の上面に、物品が置かれた状態で、カウンター本体（２）と物品との間に、通気用溝（３０）を含む隙間が形成される。このため、カウンター本体（２）と物品との間の通気性が良くなる。
【００３９】
第２の様態のカウンター（１）は、第１の様態との組み合わせにより実現され得る。第２の態様の複数の通気用溝（３０）の各々は、幅Ｂが１．０ｍｍ以上３．０ｍｍ以下であり、かつ、深さＤが０．３ｍｍ以上１．０ｍｍ以下の溝である。この態様によれば、通気用溝（３０）の内面を容易に掃除でき、かつ、カウンター本体（２）の上面において複数の通気用溝（３０）で区画されることで形成された模様の輪郭を鮮明にして意匠性を向上できる。
【００４０】
第３の様態のカウンター（１）は、第１又は第２の様態との組み合わせにより実現され得る。第３の態様の複数の通気用溝（３０）の各々は、断面形状が角の無い連続した曲線状の溝である。この態様によれば、各通気用溝（３０）を容易に掃除することができる。
【００４１】
第４の様態のカウンター（１）は、第１〜第３のいずれか一つの様態との組み合わせにより実現され得る。第４の態様のカウンター（１）は、複数の通気用溝（３０）として、複数の第１溝（３１）と、複数の第２溝（３２）とを備えている。複数の第１溝（３１）は、上方から見て互いに平行である。複数の第２溝（３２）は、上方から見て互いに平行で、かつ、上方から見て複数の第１溝（３１）と交差している。この態様によれば、カウンター本体（２）の上面に、複数の第１溝（３１）と複数の第２溝（３２）とで区画された複数の突部（３３）が形成される。このため、カウンター本体（２）の上面に、複数の突部（３３）によって構成されたタイル調の模様を形成することができ、意匠性が向上する。
【符号の説明】
【００４２】
Ｂ  通気用溝の幅
Ｄ  通気用溝の深さ
１  カウンター
２  カウンター本体
３０  通気用溝
３１  第１溝
３２  第２溝
【図１】
2020039567.tif 000003
【図２】
2020039567.tif 000004
【図３】
2020039567.tif 000005
【図４】
2020039567.tif 000006